(57)【要約】【課題】大画面テレビを用いて内蔵スピーカにて大音量で聴講する際の内蔵スピーカから伝播される振動によるリムーバブルＨＤＤのアクセス不良を軽減し、振動耐力の向上した映像記録装置内蔵テレビを提供する。【解決手段】映像記録装置内蔵テレビ１において、受信部と、外部機器からの信号を入力し出力する入力／出力端子部と、挿入／抜去可能な又は内蔵固定されるハードディスク装置を保持する保持機構部９と、受信テレビ放送を、又は入力した外部機器の信号をハードディスク装置８に記録するための記録部と、受信テレビ放送を、又はハードディスク装置８からの再生信号を、又は入力した外部機器の信号を表示する表示部２と、受信テレビ放送の音声信号を、又は再生音声信号を、又は入力した音声信号を再生する内部スピーカ部５とを備え、保持機構部９より突出したハードディスク装置８の部位を制振保持する制振ユニット１６をテレビ筐体４に着脱可能に設ける。【選択図】図２
2010130454.tif 000002
【特許請求の範囲】
【請求項１】
テレビ放送を記録する映像記録装置内蔵テレビにおいて、
テレビ放送を受信するための受信部と、
外部機器からの信号を入力し、信号を外部機器に出力する入力／出力端子部と、
挿入／抜去可能なハードディスク装置又は内蔵固定されるハードディスク装置を保持する保持機構部と、
前記受信部で受信されたテレビ放送を、又は前記入力／出力端子部から入力した前記外部機器の信号を前記ハードディスク装置に記録するための記録部と、
前記受信部で受信されたテレビ放送を、又は前記ハードディスク装置からの再生信号を、又は前記入力／出力端子部から入力した前記外部機器の信号を表示する表示部と、
前記受信部で受信されたテレビ放送の音声信号を、又は前記ハードディスク装置からの再生音声信号を、又は前記入力／出力端子部から入力した前記外部機器の音声信号を再生する内部スピーカ部と
を備え、前記保持機構部より突出した前記ハードディスク装置の部位を制振保持する制振ユニットをテレビ筐体に着脱可能に設けることを特徴とする映像記録装置内蔵テレビ。
【請求項２】
請求項１に記載のテレビにおいて、
前記テレビ筐体の背面側は、前記保持機構部より突出した前記ハードディスク装置の部位の周囲に、凹部を有し、
前記制振ユニットの内側に、所定の振動を吸収し振動の伝達を遮る制振部材を有し、該制振部材は前記凹部に挿入されることを特徴とする映像記録装置内蔵テレビ。
【請求項３】
請求項１又は２に記載の映像記録装置内蔵テレビにおいて、
前記内蔵スピーカ部の背面側に、所定の振動を吸収し振動の伝達を遮る制振材からなる吸音ＢＯＸを有することを特徴とする映像記録装置内蔵テレビ。
【請求項４】
請求項１に記載の映像記録装置内蔵テレビにおいて、
前記保持機構部の側面に、前記ハードディスク装置を保持し、かつ、所定の振動を吸収し振動の伝達を遮る側面制振部材を有することを特徴とする映像記録装置内蔵テレビ。
【請求項５】
請求項２に記載の映像記録装置内蔵テレビにおいて、
前記制振ユニットと前記制振部材とが一体で構成されることを特徴とする映像記録装置内蔵テレビ。
【請求項６】
テレビ放送を記録する映像記録装置内蔵テレビにおいて、
テレビ放送を受信するための受信部と、
外部機器からの信号を入力し、信号を外部機器に出力する入力／出力端子部と、
挿入／抜去可能なハードディスク装置又は内蔵固定されるハードディスク装置を保持する保持機構部と、
前記受信部で受信されたテレビ放送を、又は前記入力／出力端子部から入力した前記外部機器の信号を前記ハードディスク装置に記録するための記録部と、
前記受信部で受信されたテレビ放送を、又は前記ハードディスク装置からの再生信号を、又は前記入力／出力端子部から入力した前記外部機器の信号を表示する表示部と、
前記受信部で受信されたテレビ放送の音声信号を、又は前記ハードディスク装置からの再生音声信号を、又は前記入力／出力端子部から入力した前記外部機器の音声信号を再生する内部スピーカ部と
を備え、前記保持機構部より突出した前記ハードディスク装置の部位を制振保持する制振ユニットをテレビ筐体の背面側と一体に設けることを特徴とする映像記録装置内蔵テレビ。
【請求項７】
請求項６に記載の映像記録装置内蔵テレビにおいて、
前記テレビ筐体の背面側は、前記保持機構部より突出した前記ハードディスク装置の部位周囲に、凹部を有し、
前記制振ユニットの内側に、所定の振動を吸収し振動の伝達を遮る制振部材を有し、該制振部材は、前記凹部に挿入されることを特徴とする映像記録装置内蔵テレビ。
【請求項８】
請求項６又は７に記載の映像記録装置内蔵テレビにおいて、
前記内蔵スピーカの背面側に、所定の振動を吸収し振動の伝達を遮る制振材からなる吸音ＢＯＸを有することを特徴とする映像記録装置内蔵テレビ。
【発明の詳細な説明】
【技術分野】
【０００１】
本発明は、映像記録装置内蔵テレビに関し、特にデジタルテレビ放送を記録する映像記録装置内蔵テレビに関する。
【背景技術】
【０００２】
デジタルテレビ放送などの映像コンテンツを記録するために、ハードディスク装置（以下、ＨＤＤと呼ぶ）が利用される場合がある。
特許文献１にＨＤＤを内蔵したテレビについて開示されている。
ここでは、ＨＤＤはトレイを用いて筐体内への挿入／抜去が可能な構成であり、さらに内蔵スピーカからの振動をＨＤＤに伝わらないようにトレイを弾性部材を介して固定する方法が示されている。
特許文献２には、ＨＤＤを内蔵したテレビにおいて内蔵スピーカからの振動によるＨＤＤのアクセス不良防止について開示されている。
ここでは内蔵テレビの前面側シャーシの内面に防振部材を介してＨＤＤを固定し、内蔵スピ−カの後方に位置する背面側シャーシの内面には吸音部材を接合し、内蔵スピーカから伝わる振動及びスピ−カ後方の音波による振動を低減できる映像記録装置内蔵テレビが示されている。
【０００３】
ここで、前記映像記録用のハードディスク装置としては、ｉＶＤＲ（Ｉｎｆｏｒｍａｔｉｏｎ  Ｖｅｒｓａｔｉｌｅ  Ｄｉｓｃ  ｆｏｒ  Ｒｅｍｏｖａｂｌｅ  ｕｓａｇｅ  ）と呼ばれるリムーバブルＨＤＤが知られている。上記ｉＶＤＲは機器内蔵を用途としたビルトインタイプ、さらに持ち運びを主用途としたカートリッジタイプとがあり。特にカートリッジタイプは、大容量・高速アクセス・データ書替えの容易さからデジタルテレビ、オーディオ等の情報家電機器、モバイル機器、車載機器など幅広い分野で普及し始めている。
【０００４】
またデジタルテレビの使用用途に関しては、近年大画面化が急速に進んでおり、一般家庭用途から、監視用モニタ、オフィス会議・教育用などの大型モニタ用途、駅構内・空港内の電光掲示板に代わる案内用途など多岐に及んでいる。特に会議・教育用途では講堂及び体育館などで大画面テレビを用いて音声も内蔵スピーカによる大音量で聴講する使用ケースが目立ち始めている。
しかしながら、映像記録装置（ＨＤＤ）内蔵テレビにおいては、前記大画面テレビによる大音量での使用は、内蔵スピーカの前後から伝播される振動によるＨＤＤのアクセス不良の原因となっている。
【特許文献１】特開２００２−２３８００８号公報
【特許文献２】特開２００７−３００２８１号公報
【発明の開示】
【発明が解決しようとする課題】
【０００５】
上記特許文献１及び２は、ＨＤＤを交換する際には、ユーザが直接ＨＤＤを手に持って着脱する方法であり、誤ってＨＤＤに落下等の衝撃を与えた場合には、ＨＤＤが使用できなくなる問題がある。
また持ち運びを用途としたカートリッジタイプのｉＶＤＲの使用については考慮されていない。
ここで前記カートリッジタイプのｉＶＤＲには複数のサイズがあり、それぞれ、幅×奥行き×高さが８０×１１０×１２．７ｍｍの標準型、８０×６７×１０ｍｍのＭｉｎｉ型、５０×５０×８ｍｍのＭｉｃｒｏ型のものがある。これらサイズの異なるｉＶＤＲに対応してそれぞれ開口サイズの異なる複数の保持機構部を設けた提案があるが、同一のコネクタを有した標準型ｉＶＤＲとＭｉｎｉ型のｉＶＤＲを同一保持機構部に挿入／抜去する提案もある。後者においては、サイズの異なる２種類のｉＶＤＲを挿入／抜去するために、標準型ｉＶＤＲ使用時には奥行きの半分近くの部分が保持機構部の挿入口からむき出す形となり、内蔵スピーカから伝播される振動に対するｉＶＤＲの振動耐力が弱い傾向がある。
また、上記特許文献２におけるＨＤＤのアクセス不良防止の技術では、内蔵スピーカの音量が低／中音量の場合に効果があるが、大音量時には効果が無い。
【０００６】
本発明は、上記課題に鑑みてなされたものであり、その目的は、内蔵スピーカから伝播される振動によるリムーバブルＨＤＤ又はｉＶＤＲのアクセス不良を軽減し、振動耐力の向上した映像記録装置内蔵テレビを提供することにある。
【課題を解決するための手段】
【０００７】
上記目的を達成するため、本発明による映像記録装置内蔵テレビの代表的な発明では、映像記録装置内蔵テレビにおいて前面側筐体と背面側筐体とで構成されるテレビ筐体と、テレビ筐体の側面にリムーバブルＨＤＤ又はｉＶＤＲの挿入口を有す保持機構部とリムーバブルＨＤＤ又はｉＶＤＲの一部を押圧する制振ユニットとを具備した構成である。
また、テレビ筐体は前面側筐体の内面側に内蔵スピ−カとｉＶＤＲの保持機構部が制振部材を介して固定され、内蔵スピーカの背面側には吸音／制振を目的とした吸音ＢＯＸも固定されている。
【０００８】
また前記保持機構部は、Ｍｉｎｉ型のｉＶＤＲと標準型のｉＶＤＲの２種類のｉＶＤＲが同一挿入口で挿入／抜去できるように筐体の側面部に配置されている。これにより、標準型のｉＶＤＲは筐体の最外形より突出しない範囲で、ｉＶＤＲケースが半分程度むき出しで保持される。前記筐体の側面部は、前記ｉＶＤＲを手動にてスムーズに挿入／抜去できるように、保持機構部からむき出したｉＶＤＲ部分の周囲にクリアランスＤの凹部を有して構成される。
【０００９】
また、制振ユニットは、カバー部とその内面側に接着された制振部材とで構成され、制振部材が前記筐体の側面部に設けられた凹部にてｉＶＤＲを上下／左右から挟む形で、且つカバー部を背面側筐体の側面部に着脱可能にフック等により固定される。
また、制振ユニットはカバー部を背面側筐体一体で形成し、制振部材をｉＶＤＲが挿入／抜去の可能なクリアランスを有し、且つ制振部材のｉＶＤＲ押圧保持をレバー等による手動操作で行うロック機構、及びテレビ側の振動防止モード等による自動操作のロック機構とから構成される事も可能である。
また保持機構部の側面にｉＶＤＲを保持するように側面制振部材である制振ブッシュを設けることも可能である。
また制振ユニットはカバー部が制振部材と一体で形成することも可能である。
【発明の効果】
【００１０】
本発明によれば、内蔵スピーカから伝播される振動によるリムーバブルＨＤＤ又はｉＶＤＲのアクセス不良を軽減することが可能となる映像記録装置内蔵テレビを提供することができる。
【発明を実施するための最良の形態】
【００１１】
本発明を実施するための最良の形態を説明する。
以下、図１〜図６を参照して本発明の一実施例の構成及びその作用を詳細に説明する。
【００１２】
［第１の実施の形態］
図１は本発明の映像記録装置内蔵テレビ１の概略正面図、図２は映像記録装置内蔵テレビ１の概略背面図である。図３は映像記録装置内蔵テレビ１を側面から見た概略断面図である。
これより、図１〜図３を用いて装置全体の概略を説明する。
本実施例の映像記録装置内蔵テレビ１は、図１、図２に示されるように、前面にＰＤＰやＬＣＤ等の表示部である表示デバイスパネル２と、表示デバイスパネル２の周辺を覆うポリカＡＢＳ材等の樹脂等からなる前面側筐体のフロントカバー３と、表示デバイスパネル２の下側の左右に設けられた一対のスピーカ用窓３ａと、表示デバイスパネル２の裏側を覆う樹脂又は金属からなる背面側筐体のバックカバー４と、表示デバイスパネル２の裏側側面に配置された映像記録用リムーバブルＨＤＤ又はｉＶＤＲ８（以下、ｉＶＤＲ８で説明する）の保持機構部９とを備える。
なお、保持機構部９は、図２の矢印に示す方向にｉＶＤＲ８をユーザの手で抜き差しして、交換できるように構成されている。
映像記録装置内蔵テレビ１の下部には、脚部３０及びスタンド３１が取り付けられ、テレビ台等の上に載置できるように構成されている。
【００１３】
以下各部について詳細に説明する。
図３は、映像記録装置内蔵テレビ１の内部構成を示す概略断面図である。前面側筐体のフロントカバー３にはＰＤＰやＬＣＤ等の表示デバイスパネル２と、表示デバイスパネル２を駆動するための図示しない駆動回路及びチューナや映像信号処理回路等を固定しているシャーシ部１０と、一対の内蔵スピーカ５とサイドフレーム１２が固定されている。
またシャーシ部１０にはｉＶＤＲ８及びその保持機構部９、図示しないメモリ保持部材が固定されている。
また、表示デバイスパネル２を背面側で保持し、且つスタンド固定時又は裏面壁掛け固定時に映像記録装置内蔵テレビ１の全荷重を受けるメインフレーム１４は、サイドフレーム１２に上側と下側で固定されている。背面側筐体のバックカバー４は、フロントカバー３にネジ固定され各部を覆っている。
以上説明した構成が映像記録装置内蔵テレビ１の一般的な構成であり、家庭内環境の使用用途であれば十分な構成である。
【００１４】
これに対し本実施例においては、一対の内蔵スピーカ５は後述する制振部材６を介してフロントカバー３にネジ固定され、内蔵スピーカ５の背面には制振材による吸音ＢＯＸ７が内蔵スピーカ５の背面側を包み込むようにフロントカバー３に固定されている。
また、ｉＶＤＲ８の保持機構部９は制振部材１１を介してシャーシ部１０に固定され、さらに背面側筐体のバックカバー４の内側には制振部材１１が接着され、バックカバー４より伝播される振動及び音波による振動を軽減している。
ここで制振材／制振部材とは所定範囲の周波数の振動の伝播を減衰させる効果を有する材料であり、主に中高域の周波数の振動に効果のある、ウレタンフォームやブチルゴム系の制振材、高域周波数の振動に効果のあるウレタンやＥＰＤＭの発泡体等の吸音材、低域周波数の振動に効果のある防振ゲル等の防振材などで構成される。
【００１５】
次にｉＶＤＲ８の挿入／保持について図４〜図６にて説明する。図４は映像記録装置内蔵テレビ１のｉＶＤＲ８の挿入／保持を示す概略説明図である。図４（ａ）は標準型ｉＶＤＲ挿入時、図４（ｂ）はＭｉｎｉ型ｉＶＤＲの挿入時を示す。このように、同一の挿入口よりサイズの異なる２種類のｉＶＤＲ８を挿入するために、標準型ｉＶＤＲ８使用時には奥行きの半分近くの部分が保持機構部９の挿入口からむき出す形となる。
【００１６】
以上図２にて示されたように、ユーザは着脱可能なｉＶＤＲ８を必要に応じて保持機構部９の挿入口に挿入することにより、デジタルテレビ放送などの映像コンテンツをｉＶＤＲ８に記録することが出来る。
【００１７】
ここで通常使用時には図１〜図３の装置構成で十分だが、内蔵スピーカ５による大音量環境でｉＶＤＲ８の記録再生を行う際には、内蔵スピーカ５から伝播される振動によるｉＶＤＲ８のアクセス不良が起こる場合がある。そのためｉＶＤＲ８の保持機構部９からむき出した部分に、図５、図６に示すような制振ユニット１６をバックカバー４に着脱可能に取り付けることにより、制振ユニット１６のカバー部１５の内面に接着された制振部材１３が、ｉＶＤＲ８を周囲の凹部１７にて上下／左右に挟む形で当接（押圧）して挿入され、ｉＶＤＲ８のバックカバー４より伝播される振動及び音波による振動を抑えｉＶＤＲ８のアクセス不良を軽減している。
【００１８】
次に本実施例の制振部材１１と吸音ＢＯＸ７及び制振ユニット１６における、ｉＶＤＲ８のアクセス不良防止効果について詳細に説明する。
図７はｉＶＤＲ８及びＨＤＤの振動周波数と振動耐力との関係を示す概略説明図である。図７に示す振動耐力とは、ｉＶＤＲ８を所定の周波数で加振したときにｉＶＤＲ８内のＨＤＤがデジタルテレビ放送の録画中に映像記録装置内蔵テレビ１がアクセス不良を生じる振動加速度値である。つまり図７の振動加速度値が小さいほど振動耐力が低くアクセス不良が発生し易い。ｉＶＤＲ及びＨＤＤは低域（５〜約３００ＫＨｚ）の周波数帯においては、充分な耐力を有しているが、ＨＤＤは中・高域周波数帯（６００Ｈｚ以上）において耐力の低い特徴を示している。
前記中・高域周波数帯の振動に弱いＨＤＤを保護するためにｉＶＤＲ８ケースの内側でＨＤＤは高周波の振動に適した制振材で保持されている。これにより高域周波数帯（１０００Ｈｚ以上）で、ｉＶＤＲ８の耐力は強化されている。
【００１９】
また、図８（ａ）は、特定の音楽ソースの再生時のｉＶＤＲ８の振動波形を示した概略説明図である。前記音楽ソースは、ｉＶＤＲ８においてアクセス不良を多発させる音楽ソースの一つであり、特徴は、低音と高音が合成された音を多く含む音楽ソースである。振動波形は、高音の高域周波数の振動４０と低音の低域周波数の振動４１が合成された振動であり、ｉＶＤＲ８は大きな加速度値の高域周波数の振動で加振されることになる。これにより、図７で説明した高域周波帯域でのｉＶＤＲ８の耐力値を越えることになる。
【００２０】
前記の合成振動での加振により、ｉＶＤＲ内のＨＤＤの内部ではデータの読み書きするためにフォローイングしているＨＤＤのアクチュエータ及びヘッドが前記振動による外力を受け制御不能となりアクセス不良を引き起こす。
【００２１】
また図８（ａ）は本実施例における吸音ＢＯＸ７と制振ユニット１６の装着前のｉＶＤＲ８の振動波形であり、図８（ｂ）は装着後のｉＶＤＲ８の振動波形を示す。
これより第１の実施例によれば、前記吸音ＢＯＸ７と前記制振ユニット１６を装着することで、内蔵スピーカ５の背面から後方に音波として伝播する高域周波数の振動を吸音ＢＯＸ７により、また内蔵スピーカ５からｉＶＤＲ８に伝わる低域周波数及び高域周波数の振動を制振ユニット１６により抑えることができ。ｉＶＤＲ８の受ける振動を振動耐力値以下に軽減することができる。この結果、内蔵スピーカ５から伝播される振動によるｉＶＤＲ８内のＨＤＤへのアクセス不良を軽減することができる。
【００２２】
尚、上記実施例では特定の音楽ソース、について述べたが、他の音楽ソースに関しても同様の効果があるが、音声周波数の異なる全ての音楽ソースに有効な制振部材１３は、同一の制振部材１３では困難であるが、各音楽ソースに合った制振部材１３に交換することは容易である。よって、本実施例の制振ユニット１６はそれぞれの音楽ソースに適した制振部材１３を選択し交換が可能な構造であり、より高い防振性能を発揮することが可能となる。
また、ここで制振ユニット１６のカバー部１５をバックカバー４と一体で形成し、制振部材１３にｉＶＤＲ８が挿入／抜去の可能なクリアランスを設け、且つ制振部材１３によるｉＶＤＲ８押圧保持をレバー等による手動操作で行うロック機構、及びテレビ１側の振動防止モード等による自動操作のロック機構とで構成しても同様な効果が得られる。
また前記制振ユニット１６はカバー部１５が制振部材１３にて一体で形成された構成でも同様な効果が得られる。
【００２３】
［第２の実施の形態］
図９は、本発明の第２の実施例である映像記録装置内蔵テレビ１の概略背面図と側面図である。
この第２の実施例によれば、映像記録装置内蔵テレビ１に、ｉＶＤＲ８が保持機構部９に挿入された後に、保持機構部９の側面にて制振ブッシュ２０がｉＶＤＲ８の側面に当接してｉＶＤＲ８を保持するように保持機構部９及びバックカバー４に組み込まれる。これにより、第１の実施例と同様にｉＶＤＲ８に伝播される振動を軽減する効果が得られる。
ここで第２の実施例は、制振ブッシュ２０を、保持機構部９の側面に配置した場合について述べたが、前記の保持機構部９の側面に限らず、図１０（ａ）（ｂ）に示すように制振ブッシュ２０をＩＶＤＲ８の保持機構部９からむき出した部分に当接してｉＶＤＲ８を保持するようにバックカバー４に組み込まれても同様の効果が得られる。また制振ブッシュ２０は、板状の制振部材及び制振効果を有する弾性部材であっても図９、図１０と同様の効果が得られ、その形状に制限されない。
【００２４】
なお、使用環境、使用する音楽ソースに合わせて第１の実施例、又は第２の実施例を選択して適用することが可能である。
また、本発明は、前記実施の形態に限定されず、種々な変形実施が可能である。例えば、第１の実施例において、第２の実施例と併せた構成にてしてもよい。
これにより、一層制振効果が大きくなり、この結果、内蔵スピーカ５  からの振動に起因するｉＶＤＲ８のアクセス不良を一層低減することができる。
また、本発明は、挿入／抜去が可能なリムーバブルＨＤＤに関して説明したが、映像記録装置内蔵テレビ１に内蔵固定される内蔵ＨＤＤについて実施しても良く、同様の効果が得られる。
【図面の簡単な説明】
【００２５】
【図１】本発明の第１の実施の形態に係る映像記録装置内蔵テレビの概略正面図。
【図２】図１に示す映像記録装置内蔵テレビの概略背面図。
【図３】図１に示す映像記録装置内蔵テレビを側面から見た概略断面図。
【図４】（ａ）はカートリッジタイプの標準型ｉＶＤＲを映像記録装置内蔵テレビに挿入した状態の概略背面図、（ｂ）はカートリッジタイプのＭｉｎｉ型ｉＶＤＲを映像記録装置内蔵テレビ挿入した状態の概略背面図。
【図５】ｉＶＤＲを図１の映像記録装置内蔵テレビに挿入した状態の概略側面図。
【図６】（ａ）は図５の映像記録装置内蔵テレビに制振ユニットを取り付けた状態の概略背面図、（ｂ）は図５の映像記録装置内蔵テレビに制振ユニットを取り付けた状態の概略断面図。
【図７】ｉＶＤＲ及びＨＤＤの振動周波数と振動耐力との関係を示す概略説明図。
【図８ａ】音楽ソースを再生した場合のｉＶＤＲの振動波形を示した概略説明図（制振ユニットの装着前）。
【図８ｂ】音楽ソースを再生した場合のｉＶＤＲの振動波形を示した概略説明図（制振ユニットの装着後）。
【図９】（ａ）は本発明の第２の実施形態である映像記録装置内蔵テレビの概略背面図、（ｂ）は同側面図。
【図１０】（ａ）は本発明の第２の実施形態である映像記録装置内蔵テレビの概略背面図、（ｂ）は同側面図。
【符号の説明】
【００２６】
１…映像記録装置内蔵テレビ、２…表示デバイスパネル、３…フロントカバー、
３ａ…スピーカ用窓、４…バックカバー、５…内蔵スピーカ、６…制振部材、
７…吸音ＢＯＸ、８…ｉＶＤＲ、９…保持機構部、１０…シャーシ部、
１１…制振部材、１２…サイドフレーム、１３…制振部材、
１４…メインフレーム、１５…カバー部、１６…制振ユニット、１７…凹部、
２０…制振ブッシュ、３０…脚部、３１…スタンド、４０…高域周波数の振動、
４１…低域周波数の振動、
【図１】
2010130454.tif 000003
【図２】
2010130454.tif 000004
【図３】
2010130454.tif 000005
【図４】
2010130454.tif 000006
【図５】
2010130454.tif 000007
【図６】
2010130454.tif 000008
【図７】
2010130454.tif 000009
【図８ａ】
2010130454.tif 000010
【図８ｂ】
2010130454.tif 000011
【図９】
2010130454.tif 000012
【図１０】
2010130454.tif 000013